(57)【要約】【課題】脊椎に発生した変位、その中でも第５腰椎とその下部の第１仙骨が接触する腰仙部関節の変位を矯正可能な腰仙部矯正方法及び装置を提供する。【解決手段】患者の腰仙部に接する先端が傾斜面をなす四角柱状の接触部と、重量物を入れて重量を調節する上部開放のボックスを備え、前記接触部が同ボックスの下部に着脱可能に取り付けられ、腰仙部に荷重を加える垂直力印加手段と、前記接触部を体の長手方向に移送させ、腰仙部に水平方向に力を加える水平力印加手段と、患者が前記接触部の下部に横たわる空間を確保するために、前記の接触部と垂直力印加手段を上部に持ち上げる上昇手段と、前記の接触部と垂直力印加手段の脱落を防止する安全係止板が備えられ、前記の接触部、垂直力印加手段、水平力印加手段、及び上昇手段が装着されたフレームと、前記フレームの下部に設置され、前記患者が伏せて治療を受けることができるベッドを含む。【選択図】図２
2004267548.tif 000002
【特許請求の範囲】
【請求項１】
患者の腰仙部に接する先端が傾斜面をなす四角柱状の接触部と、
内部に重量物を入れて重量を調節する上部開放のボックスが備えられ、前記接触部が前記ボックスの下部に着脱可能に取り付けられ、患者の腰仙部に荷重を加える垂直力印加手段と、
前記接触部を患者の体の長手方向に移送させ、患者の腰仙部に水平方向に力を加える水平力印加手段と、
前記患者が前記接触部の下部に横たわることのできる空間を確保するために、前記接触部と前記垂直力印加手段を上部に持ち上げる上昇手段と、
前記接触部と前記垂直力印加手段の脱落を防止する安全係止板が備えられ、前記の接触部、垂直力印加手段、水平力印加手段、及び上昇手段が装着されたフレームと、
前記フレームの下部に設置され、前記患者が伏せて治療を受けることができるベッドを含むことを特徴とする、腰仙部矯正装置。
【請求項２】
前記水平力印加手段は、前記ベッドの上部に、当該ベッドの長手方向に前記フレームの幅に合わせて装着された２本のレールと、
前記フレームが前記レール上をベッドの前後方向に移動するべく、前記フレームの下部に装着された複数の車輪と、
前記ベッドの前部に具備された移動可能な移動ハンドルと連結され、前記ベッドの前側を通って前記ベッドの底部を通過し、前記車輪が装着されたフレームの裏側に連結され、前記移動ハンドルを患者の体の方に引っ張ると、フレームをベッドの後部へ移送させることのできるワイヤーと、
前記ワイヤーの動きを円滑にする複数のローラーとから構成されていることを特徴とする、請求項１記載の腰仙部矯正装置。
【請求項３】
前記水平力印加手段は、ベッドの上部に、そのベッドの長手方向に前記フレームの幅に合わせて装着された２本のレールと、
前記フレームが前記レール上をベッドの前後方向に移動するべく、前記フレームの下部に装着された複数の車輪と、
前記車輪が装着されたフレームを引っ張ってベッドの後部へ移送させる電気モータと、
前記電気モータと電気的に連結され、患者が前記ベッドに横たわった状態で前記電気モータを駆動させる電気モータ制御装置と、
一方は前記車輪が装着されたフレームの裏側に連結され、他方は電気モータに連結され、フレームをベッドの後方へ移送させることのできるワイヤーと、
前記ワイヤーの動きを円滑にする複数のローラーとから構成されていることを特徴とする、請求項１記載の腰仙部矯正装置。
【請求項４】
前記水平力印加手段は、前記フレームを前記ベッドに固定する固定手段と、
前記ベッドの前部に設置され、患者が手を伸ばして取り、腕を引き寄せ、その力で自分の体を前方に移動させることで、接触部と腰仙部との間の反作用により腰仙部へ水平力を印加させる固定ハンドルとから構成されていることを特徴とする、請求項１記載の腰仙部矯正装置。
【請求項５】
請求項１記載の腰仙部矯正装置を使用して、患者の腰仙部と前記腰仙部矯正装置における接触部の傾斜面とを一致させる段階と、
前記腰仙部に垂直力を加える垂直力印加段階と、
前記垂直力印加段階を維持しながら、前記接触部を患者の臀部の所まで移動させ、前記腰仙部に水平力を加える水平力印加段階とから成ることを特徴とする、腰仙部矯正方法。
【請求項６】
前記水平力印加段階は、患者による手動操作、又は電気モータによる自動操作で行われることを特徴とする、請求項５記載の腰仙部矯正方法。
【発明の詳細な説明】
【０００１】
【発明の属する技術分野】
本発明は、腰仙部矯正方法及び装置の技術分野に属し、更に云えば、正常な位置から外れた患者の仙骨部に圧力を加え、元の正常な位置に回復させる腰仙部矯正方法及び装置に関する。より具体的には、第５腰椎（腰骨）とその下部の第１仙骨（骨盤骨）との間における神経の圧迫状態を緩和、弛緩させることにより、非正常な変位が発生した腰仙部を矯正することのみならず、正常な腰仙部の場合にも、前記腰椎と仙骨が接触する腰仙関節に集中した応力を解消することができる腰仙部矯正方法及び装置に関する。
【０００２】
【従来の技術】
一般に、人体の最も重要な部分の一つである脊椎部は、人体の中心骨格として昔からその重要性が強調されてきた。前記脊椎部を図８に例示する。
【０００３】
当該図８は、人体における脊椎の概略的な構成図である。
同図に示すように、脊椎は計３３個の骨で構成され、全体的に左右対称となっており、側面視で緩い曲線を描いている。即ち、頚椎部１と腰椎部３は前方に、胸椎部２と仙骨部４は後方に湾曲している。符号５は尾骨部である。
【０００４】
かかる脊椎の重要な機能は二つに大別される。第一に、頭蓋骨及びボディを支持し、運動に関与することである。第二に、脳から身体各部位への神経の経路となり、神経を保護することである。
【０００５】
脊椎から伸展し、脊椎骨の間から出てくる脊椎神経は、身体の全ての臓器、筋肉、血管、靱帯、皮膚へと分布している。この脊椎と脊椎神経は人間の全ての感覚と動き、並びに姿勢維持、低温維持、心臓拍動維持、呼吸維持、血糖維持などの全ての身体機能を担当する。人間が意識的に行う行動と無意識的に行う全ての行動とを、かかる神経系が支配している。したがって、脊椎を保護する脊椎骨が正常な位置を維持するのは、健康の基本とされる。
【０００６】
即ち、各脊椎骨が正常な位置であれば、脊椎や脊椎神経は何の障害も受けずに機能を担当できるが、万一、正常な位置からずれてしまうと、この脊椎骨の間から出ている脊椎神経に圧迫が加えられ始め、続いて様々な神経系に障害が生じることとなる。かかる神経系の障害は身体の関連器官の機能を低下させ、免疫機能をも低下させて、深刻な疾病をもたらすという問題がある。
【０００７】
四足で歩く動物とは異なり、  人間は２本の足で立って歩行するようになったため、腰、その中でも腰椎（腰骨）と仙骨（骨盤骨）の接触部位に無理な力が加わって脊椎変位が発生しやすい。何故なら、腰仙（腰骨盤骨）は、前方に傾いていて、過度な前湾角による重力でストレスが大きく作用するが、仙骨が固定されているのに反し、腰椎は運動範囲が大きいため、屈んだり、反らしたりする運動により損傷を受けやすいからである。
【０００８】
よって、仙骨部４に力を加えて仙骨と腰椎との間を広げることで、変形された腰仙部６を矯正し、前記腰仙部６に加えられる応力を解消しなければならない。かくして腰仙６の応力が解消されると、腰痛のない概ね正常な人も新陳代謝が円滑になり、肉体的、精神的に一層健康な生活を享受可能となる。
【０００９】
一般に、病院などの物理治療室で使用される脊椎矯正機は、スプリングの弾性等を用いて一定時間身体を上下に伸展するか、或いは機械的な構成を用いて上下に伸展する動作を繰り返して脊椎を弛緩させた後、この伸展させる力を除去して身体を元の状態に戻したとき、脊椎が正常位置へ戻っていることを期待した構成となっている。しかし、前記脊椎矯正機は、単に身体を伸展させる役割のみを果たすに過ぎないものなので、脊椎の矯正に対して良好な効果が得られない。
【００１０】
前記脊椎矯正機よりも発達した脊椎矯正機としては、下記特許文献１（登録日：１９９３年７月１４日）があり、これは身体を脊椎の長手方向に伸展した状態において下半身を揺することで、脊椎が正常位置に戻ることを期待した構成となっている。しかし、当該脊椎矯正機も、身体を伸展させた状態で単に下半身を揺するに過ぎないものなので、伸展させる力を除去しても、脊椎が正常位置に戻ることを、あまり期待できない。
【００１１】
その他、下記特許文献２（公開日：１９９９年２月５日）には、単純な弛緩装置ではなく、脊椎に瞬間的な圧力を加えて脊椎を矯正する装置が開示されている。当該装置は、上記形態の脊椎矯正機、即ち単に身体を弛緩させるか、或いは下半身を揺する機能を有する脊椎矯正機よりは、矯正効果に優れてはいるものの、脊椎の変位程度が小さい場合のみに適用可能なもので、腰椎と仙骨が接触する腰仙関節部位の治療にはあまり用を成さない。
【００１２】
また、前記装置は、腰椎と仙骨が接触する腰仙関節部位の応力の集中現象を根本的に解消することができないという欠点もある。
【００１３】
【特許文献１】
韓国実用新案公開第９３−４３８３号
【特許文献２】
韓国実用新案公開第９９−５０７９号
【００１４】
【発明が解決しようとする課題】
したがって、本発明の目的は、上記従来の問題点を解消するためのもので、大きな変位が生じた脊椎、その中でも第５腰椎と第１仙骨が接触する腰仙部関節の変位を矯正する腰仙部の矯正方法及びその装置を提供することにある。
【００１５】
本発明の他の目的は、腰椎と仙骨が接触する腰仙部関節における応力集中を解消することができる腰仙部矯正方法及び装置を提供することにある。
【００１６】
【課題を解決するための手段】
上記目的を達成するために、請求項１記載の発明に係る腰仙部矯正装置は、
患者の腰仙部に接する先端が傾斜面をなす四角柱状の接触部と、
内部に重量物を入れて重量を調節する上部開放のボックスが備えられ、前記接触部が前記ボックスの下部に着脱可能に取り付けられ、患者の腰仙部に荷重を加える垂直力印加手段と、
前記接触部を患者の体の長手方向に移送させ、患者の腰仙部に水平方向に力を加える水平力印加手段と、
前記患者が前記接触部の下部に横たわることのできる空間を確保するために、前記接触部と前記垂直力印加手段を上部に持ち上げる上昇手段と、
前記接触部と前記垂直力印加手段の脱落を防止する安全係止板が備えられ、前記の接触部、垂直力印加手段、水平力印加手段、及び上昇手段が装着されたフレームと、
前記フレームの下部に設置され、前記患者が伏せて治療を受けることができるベッドを含むことを特徴とする。
【００１７】
請求項２記載の発明は、請求項１記載の腰仙部矯正装置において、
前記水平力印加手段は、前記ベッドの上部に、当該ベッドの長手方向に前記フレームの幅に合わせて装着された２本のレールと、
前記フレームが前記レール上をベッドの前後方向に移動するべく、前記フレームの下部に装着された複数の車輪と、
前記ベッドの前部に具備された移動可能な移動ハンドルと連結され、前記ベッドの前側を通って前記ベッドの底部を通過し、前記車輪が装着されたフレームの裏側に連結され、前記移動ハンドルを患者の体の方に引っ張ると、フレームをベッドの後部へ移送させることのできるワイヤーと、
前記ワイヤーの動きを円滑にする複数のローラーとから構成されていることを特徴とする。
【００１８】
請求項３記載の発明は、請求項１記載の腰仙部矯正装置において、
前記水平力印加手段は、ベッドの上部に、そのベッドの長手方向に前記フレームの幅に合わせて装着された２本のレールと、
前記フレームが前記レール上をベッドの前後方向に移動するべく、前記フレームの下部に装着された複数の車輪と、
前記車輪が装着されたフレームを引っ張ってベッドの後部へ移送させる電気モータと、
前記電気モータと電気的に連結され、患者が前記ベッドに横たわった状態で前記電気モータを駆動させる電気モータ制御装置と、
一方は前記車輪が装着されたフレームの裏側に連結され、他方は電気モータに連結され、フレームをベッドの後方へ移送させることのできるワイヤーと、
前記ワイヤーの動きを円滑にする複数のローラーとから構成されていることを特徴とする。
【００１９】
請求項４記載の発明は、請求項１記載の腰仙部矯正装置において、
前記水平力印加手段は、前記フレームを前記ベッドに固定する固定手段と、
前記ベッドの前部に設置され、患者が手を伸ばして取り、腕を引き寄せ、その力で自分の体を前方に移動させることで、接触部と腰仙部との間の反作用により腰仙部へ水平力を印加させる固定ハンドルとから構成されていることを特徴とする。
【００２０】
請求項５記載の発明に係る腰仙部矯正方法は、
請求項１記載の腰仙部矯正装置を使用して、患者の腰仙部と前記腰仙部矯正装置における接触部の傾斜面とを一致させる段階と、
前記腰仙部に垂直力を加える垂直力印加段階と、
前記垂直力印加段階を維持しながら、前記接触部を患者の臀部の所まで移動させ、前記腰仙部に水平力を加える水平力印加段階とから成ることを特徴とする。
【００２１】
請求項６記載の発明は、請求項５記載の腰仙部矯正方法において、
前記水平力印加段階は、患者による手動操作、又は電気モータによる自動操作で行われることを特徴とする。
【００２２】
【発明の実施の形態】
以下、添付図面を参照して、本発明の実施例を具体的に説明する。
【００２３】
図１は、本発明の一実施例に係る腰仙部矯正装置を概略的に示す図であり、図２は、本発明に係る腰仙部矯正装置を具体的に示す分解斜視図である。図３は、図２の正面図であり、図４は、図２の側面図である。
【００２４】
図１〜図４に示すように、本発明の具体例である腰仙部矯正装置１００は、腰仙部に接する先端が傾斜面１１１をなす四角柱状の接触部１１０と、内部に重量物を入れて重量を調節する上部開放のボックス１２１が備えられ、前記接触部１１０が前記ボックス１２１の下部に着脱可能に取り付けられ、患者の腰仙部に荷重を加える垂直力印加手段１２０と、前記接触部１１０を患者の体の長手方向に移送させ、前記患者の腰仙部に水平方向に力を加える水平力印加手段１３０と、前記患者が前記接触部１１０の下部に横たわることのできる空間を確保するために、前記接触部１１０と前記垂直力印加手段１２０を上部に持ち上げる上昇手段１４０と、前記接触部１１０と前記垂直力印加手段１２０の脱落を防止する安全係止板１５１が備えられ、前記接触部１１０、前記垂直力印加手段１２０、前記水平力印加手段１３０、前記上昇手段１４０が装着されたフレーム１５０と、前記フレーム１５０の下部に設置され、前記患者が伏せて治療を受けることができるベッド１６０とから構成されている。
【００２５】
前記接触部１１０は、人間の直立活動からくる脊椎変位が発生した腰仙部に直接接する部分であり、腰仙部に接触する先端が傾斜面１１１をなす四角柱状のものを基本形とする。
【００２６】
前記接触部１１０の傾斜面１１１は、平面以外に曲面でも実施可能であり、また、脊椎の変位の程度により、前記傾斜面１１１の勾配が調整される。同時に、前記接触部１１０は、前記垂直力印加手段１２０から着脱可能な構造となっており、矯正の必要程度により、前記傾斜面１１１の勾配が異なる他の接触部１１０を用いて矯正作業が行われる。即ち、脊椎の変位程度が大きければ、急な傾斜面１１１の接触部１１０を使用し、変位程度が小さければ、緩やかな傾斜面１１１の接触部１１０を使用する。
【００２７】
前記垂直力印加手段１２０は、上部開放のボックス１２１構造から成り、前記ボックス１２１及びその内部に入っている重量物の自重を利用して腰仙部に垂直力を加える。即ち、ユーザ（患者）は、ボックス１２１内部の空間に各種金属、岩石などの物体を入れることで、前記垂直力印加手段１２０の重量を調節することができる。したがって、ユーザ（患者）の年齢、健康状態、脊椎変位の程度に応じて、前記垂直力印加手段１２０の重量を調整することができる。
【００２８】
前記垂直力印加手段１２０は、上昇の際には後述の上昇手段１４０によって上部に上昇し、一方、下降の際には自重及び重力によって下部に下降する。この際、前記垂直力印加手段１２０の円滑な移動及び直進性を高めるため、垂直力印加手段１２０の周囲に４本の案内柱１２２が設置され、また、前記垂直力印加手段１２０の外周に、前記案内柱１２２に沿ってスライドされるスライドホール１２３が設けられている（図２参照）。
【００２９】
前記上昇手段１４０は、図２に示すように、手動で操作されるポンプ内蔵型の油圧シリンダ１４１、前記油圧シリンダ１４１を駆動させる調整ハンドル１４２、リリーフ弁操作スイッチ（図示は省略）、並びに前記油圧シリンダ１４１の先端と前記垂直力印加手段１２０とを連結させる締結具（ナット）１４３から構成されている。
【００３０】
前記調整ハンドル１４２を上下に往復運動させると、前記油圧シリンダ１４１のロッドが上部に上昇すると共に、前記垂直力印加手段１２０に装着された接触部１１０が上部に上昇し、これにより、前記接触部１１０とベッド１６０との間に空間が形成され、腰仙部を矯正しようとする患者の当該矯正装置への出入りが可能となる。この際、前記調整ハンドル１４２は、患者が前記ベッド１６０に伏せた時、手をあげて取ることができる位置に置かれており、他人の助けなしでも自分だけで操作することができる。
【００３１】
前記接触部１１０を十分上昇させた後、図４に示すように、前記ベッド１６０に伏せて前記リリーフ弁を操作して、油圧シリンダ１４１と機械的に連結された接触部１１０の高さを調整し、矯正しようとする患者の腰仙部に適当な圧力が加えられる位置とする。
【００３２】
次に、前記水平力印加手段１３０を用いて前記接触部１１０を患者の臀部の位置へ移動させる。前記水平力印加手段１３０は、前記ベッド１６０の上部に、そのベッド１６０の長手方向に前記フレーム１５０の幅に合わせて装着された２本のレール１３１と、前記フレーム１５０が前記レール１３１上をベッド１６０の前後方向に移動するべく、前記フレーム１５０の下部に装着された複数の車輪１３２と、前記車輪１３２の離脱を防ぐための離脱防止突起１３３と、前記ベッド１６０の前部に具備された移動可能な移動ハンドル１３４と連結され、前記ベッド１６０の前側を通って前記ベッド１６０の底部を通過して、前記車輪１３２が装着されたフレーム１５０の裏側に連結され、前記移動ハンドル１３４を体の方に引っ張るとフレーム１５０をベッド１６０の後部へ移送させることのできるワイヤー１３５と、前記ワイヤー１３５の動きを円滑にする複数のローラー１３６とから構成されている（図４参照）。
【００３３】
したがって、患者が前記ベッド１６０に伏せた状態で前部の移動ハンドル１３４を体の方に引っ張ると、前記ワイヤー１３５と連結されたフレーム１５０が患者の臀部の位置へ移動すると共に、前記接触部１１０が患者の腰仙部に水平力を加えて、変位が発生した腰仙部を矯正することとなる。
【００３４】
図５は、本発明の他の実施例に係る腰仙部矯正装置の側面図である。
【００３５】
上記実施例では、矯正しようとする患者が直接水平力印加手段１３０を操作することについて説明したが、次に説明する実施例では、水平力印加手段１３０を電気モータといった動力装置を用いて駆動できるようにした構造を示している。上記実施例と同一の構成部分には同一符号を付しており、重複する説明については省略する。
【００３６】
前記水平力印加手段１３０は、前記ベッド１６０の上部に、そのベッド１６０の長手方向に前記フレーム１５０の幅に合わせて装着された２本のレール１３１と、前記フレーム１５０が前記レール１３１上をベッド１６０の前後方向に移動するべく、前記フレーム１５０の下部に装着された複数の車輪１３２と、前記車輪１３２が装着されたフレーム１５０を引っ張ってベッド１６０の後部へ移送させる電気モータ１７２と、前記電気モータ１７２と電気的に連結され、ユーザ（患者）が前記ベッド１６０に横たわった状態で前記電気モータ１７２を駆動させる電気モータ制御装置１７４と、一方は前記車輪１３２が装着されたフレーム１５０の裏側に連結され、他方は電気モータ１７２に連結され、フレーム１５０をベッド１６０の後方へ移送させることのできるワイヤー１３５と、前記ワイヤー１３５の動きを円滑にする複数のローラー１３６とから構成されている。
【００３７】
即ち、本実施例では、ユーザ（患者）が直接ワイヤー１３５を引っ張るのではなく、ユーザ（患者）は電気モータ制御装置１７４のみを調整して前記電気モータ１７２の力を利用して前記ワイヤー１３５を引っ張るようにする。この場合は、前記電気モータ１７２によって前記ワイヤー１３５が引っ張られるので、本発明の矯正装置の使用がより一層便利となる。本実施例において、電気モータ制御装置１７４による電気モータ１７２の駆動等については、一般的な周知技術なので説明は省略する。
【００３８】
図６は、本発明の更に異なる実施例に係る腰仙部矯正装置の斜視図であり、図７は、図６の側面図である。
【００３９】
本実施例においても、上述した実施例と同一の構成部分には同一符号を付しており、重複する説明については省略する。
【００４０】
前記図６と図７に示すように、本実施例は、フレーム１５０を前記ベッド１６０に、溶接などの固定手段を用いて固定させるか、或いはベッド１６０の底部に締結するボルト１７０などの固定手段を用いて固定させると共に、ベッド１６０の前部に別途の固定ハンドル１８０を装着することを特徴とする。
【００４１】
即ち、前述のように前記フレーム１５０を前記ベッド１６０に固定することにより、腰仙部６（図８参照）に垂直力を印加する垂直力印加手段１２０と接触部１１０とを、上下にのみ移動でき、左右及び前後には移動できないようにし、次いで、手を伸ばして前記固定ハンドル１８０を取って腕を引き寄せ、自分の体を腕の力で前方へ移動させることで、接触部１１０と腰仙部６（図８参照）との間の作用／反作用により、相対的に水平力を腰仙部に印加させる方法である。この場合は、装置の構成が簡単であるという特長がある。
【００４２】
その他、シリンダによる機械運動装置等を用い、腰仙部に垂直方向及び水平方向へ同時に力を加えるようにして、腰仙部の変位を矯正すると共に腰仙部に集中した応力を解消する形態で実施してもよい。
【００４３】
【発明の効果】
以上説明したように、本発明は、簡単な機械装置を用い、脊椎変位が発生した腰仙部を、別途の動力源なしに容易に矯正することができる。そして、手動で装置を駆動させることにより、矯正効果に加え、筋力を強化させる運動効果も期待できる。また、電気モータを用いて装置を駆動する場合は、変位が発生した腰仙部を、余計な労力を用いずに更に容易に矯正することができる。しかも、腰仙部に発生した変位によって起こる腰痛などの痛みを解消できるだけではなく、概ね正常な人の場合も、腰仙部、その中でも腰椎と仙骨が接触する腰仙関節部位に集中した応力を解消して、肉体的、精神的に健康な生活を享受可能となる。
【図面の簡単な説明】
【図１】本発明の一実施例に係る腰仙部矯正装置を概略的に示す図である。
【図２】本発明に係る腰仙部矯正装置を具体的に示す分解斜視図である。
【図３】図２の正面図である。
【図４】図２の側面図である。
【図５】本発明の異なる実施例に係る腰仙部矯正装置の側面図である。
【図６】本発明の更に異なる実施例に係る腰仙部矯正装置の斜視図である。
【図７】図６の側面図である。
【図８】人体における脊椎の概略的な構成図である。
【符号の説明】
１  頸椎部
２  胸椎部
３  腰椎部
４  仙骨部
５  尾骨部
６  腰仙部
１１０  接触部
１１１  傾斜面
１２０  垂直力印加手段
１２１  ボックス
１２２  案内柱
１２３  スライドホール
１３０  水平力印加手段
１３１  レール
１３２  車輪
１３３  離脱防止突起
１３４  移動ハンドル
１３５  ワイヤー
１３６  ローラー
１４０  上昇手段
１４１  油圧シリンダ
１４２  調整ハンドル
１４３  締結具
１５０  フレーム
１５１  安全係止板
１６０  ベッド
１７２  電気モータ
１７４  電気モータ制御装置
１８０  固定ハンドル
【図１】
2004267548.tif 000003
【図２】
2004267548.tif 000004
【図３】
2004267548.tif 000005
【図４】
2004267548.tif 000006
【図５】
2004267548.tif 000007
【図６】
2004267548.tif 000008
【図７】
2004267548.tif 000009
【図８】
2004267548.tif 000010